【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】  水和物スラリ貯槽と水和物スラリの冷熱を利用する負荷との間を接続する往路配管及び復路配管とからなる配管系と、往路配管に設置され、水和物スラリ貯槽から水和物スラリを払い出して負荷へ輸送するスラリポンプと、スラリポンプの吸い込み口側の往路配管と復路配管とを必要に応じて接続し、復路配管内に存在する水和物スラリが融解した水溶液を往路配管内に存在する水和物スラリに注入する水溶液注入枝管とを備える冷熱利用システムであって、水和物スラリ貯槽とスラリポンプの間における水和物スラリ貯槽側の領域の往路配管が、水溶液注入枝管と接続しており、かつスラリポンプの吐出し口側の往路配管よりも内口径が大きいことを特徴とする冷熱利用システム。
【請求項２】  水和物スラリが融解した水溶液を冷却して、水和物スラリを生成する冷凍機と、冷凍機により製造された水和物スラリを貯蔵する水和物スラリ貯槽と、水和物スラリ貯槽と水和物スラリの冷熱を利用する負荷との間を接続する往路配管及び復路配管とからなる配管系と、往路配管に設置され、水和物スラリ貯槽から水和物スラリを払い出して負荷へ輸送するスラリポンプと、往路配管と復路配管とを必要に応じて接続し、復路配管内に存在する水和物スラリが融解した水溶液を往路配管内に存在する水和物スラリに注入する水溶液注入枝管と、スラリポンプの吐出し口側の往路配管と復路配管とを必要に応じて接続するバイパス配管とを備え、水和物スラリ貯槽とスラリポンプの間における水和物スラリ貯槽側の領域の往路配管が、水溶液注入枝管と接続しており、かつスラリポンプの吐出し口側の往路配管よりも内口径が大きい冷熱利用システムであって、冷凍機により水和物スラリを製造し、水和物スラリの貯槽に貯蔵する場合には、水溶液注入枝管を遮断するとともにバイパス管を開放し、水和物スラリを負荷に供給する場合には、バイパス管を遮断することを特徴とする冷熱利用システム。
【請求項３】  前記水和物スラリ貯槽の水和物スラリの払い出し口の配管の内口径が、前記スラリポンプの吐出し口の配管の内口径の１．３倍以上であることを特徴とする請求項１又は２に記載の冷熱利用システム。
【請求項４】  スラリポンプの吐出し口側の往路配管内に存在する水和物の固相率が１３〜３４％になるように、復路配管内に存在する水和物スラリが融解した水溶液を前記領域の往路配管内に存在する水和物スラリに水溶液注入枝管を通じて注入することを特徴とする請求項３に記載の冷熱利用システム。
【請求項５】  スラリポンプの吸込み口側の往路配管と水溶液注入枝管との接続部に、往路配管の水和物スラリの流れ方向に沿ってＬ字型の小口径配管を設け、水和物スラリが融解した水溶液を注入することを特徴とする請求項１ないし４のいずれか１項に記載の冷熱利用システム。
【手続補正２】
【補正対象書類名】明細書
【補正対象項目名】００１０
【補正方法】変更
【補正の内容】
【００１０】
【課題を解決するための手段】
請求項１は、水和物スラリ貯槽と水和物スラリの冷熱を利用する負荷との間を接続する往路配管及び復路配管とからなる配管系と、往路配管に設置され、水和物スラリ貯槽から水和物スラリを払い出して負荷へ輸送するスラリポンプと、スラリポンプの吸い込み口側の往路配管と復路配管とを必要に応じて接続し、復路配管内に存在する水和物スラリが融解した水溶液を往路配管内に存在する水和物スラリに注入する水溶液注入枝管とを備える冷熱利用システムであって、水和物スラリ貯槽とスラリポンプの間における水和物スラリ貯槽側の領域の往路配管が、水溶液注入枝管と接続しており、かつスラリポンプの吐出し口側の往路配管よりも内口径が大きいことを特徴とする冷熱利用システムを提供する。
【手続補正３】
【補正対象書類名】明細書
【補正対象項目名】００１１
【補正方法】変更
【補正の内容】
【００１１】
このような構成では、水和物スラリ貯槽からスラリポンプにおける水和物スラリ貯槽側の領域の配管の内口径が大きくなっているので、配管内での圧力損失を大幅に低減できるととともに、水和物スラリ貯槽の払い出し口での吸い込み圧力を適正にでき、液みちやキャビテーションの生成を抑制できる。
【手続補正４】
【補正対象書類名】明細書
【補正対象項目名】００１２
【補正方法】変更
【補正の内容】
【００１２】
また、水溶液注入枝管を設けて水和物スラリ貯槽からスラリポンプへ到る往路配管に負荷からの水和物スラリが融解した水溶液の一部を注入するようにすると、水和物スラリの粘度が小さくなり、水溶液が戻される水溶液注入枝管との接続部分より下流の配管内の圧力損失を低減できる。
【手続補正５】
【補正対象書類名】明細書
【補正対象項目名】００１３
【補正方法】変更
【補正の内容】
【００１３】
請求項２は、水和物スラリが融解した水溶液を冷却して、水和物スラリを生成する冷凍機と、冷凍機により製造された水和物スラリを貯蔵する水和物スラリ貯槽と、水和物スラリ貯槽と水和物スラリの冷熱を利用する負荷との間を接続する往路配管及び復路配管とからなる配管系と、往路配管に設置され、水和物スラリ貯槽から水和物スラリを払い出して負荷へ輸送するスラリポンプと、往路配管と復路配管とを必要に応じて接続し、復路配管内に存在する水和物スラリが融解した水溶液を往路配管内に存在する水和物スラリに注入する水溶液注入枝管と、スラリポンプの吐出し口側の往路配管と復路配管とを必要に応じて接続するバイパス配管とを備え、水和物スラリ貯槽とスラリポンプの間における水和物スラリ貯槽側の領域の往路配管が、水溶液注入枝管と接続しており、かつスラリポンプの吐出し口側の往路配管よりも内口径が大きい冷熱利用システムであって、冷凍機により水和物スラリを製造し、水和物スラリの貯槽に貯蔵する場合には、水溶液注入枝管を遮断するとともにバイパス管を開放し、水和物スラリを負荷に供給する場合には、バイパス管を遮断することを特徴とする冷熱利用システムを提供する。
【手続補正６】
【補正対象書類名】明細書
【補正対象項目名】００１４
【補正方法】変更
【補正の内容】
【００１４】
請求項３は、前記水和物スラリ貯槽の水和物スラリの払い出し口の配管の内口径が、前記スラリポンプの吐出し口の配管の内口径の１．３倍以上であることを特徴とする請求項１又は２に記載の冷熱利用システムを提供する。
【手続補正７】
【補正対象書類名】明細書
【補正対象項目名】００１５
【補正方法】変更
【補正の内容】
【００１５】
請求項３の冷熱利用システムでは、水和物スラリ貯槽の水和物スラリの払い出し口の配管の内口径をスラリポンプの吐出し口の配管の内口径の１．３倍以上としたことにより、配管の内断面積が大きくなるので、配管内の圧力損失を低減して、水和物スラリ貯槽の水和物スラリの払い出し口における圧力をスラリポンプの吸い込み下限圧力以上にすることができ、水和物スラリを安定して負荷へ輸送できる。
【手続補正８】
【補正対象書類名】明細書
【補正対象項目名】００１６
【補正方法】変更
【補正の内容】
【００１６】
なお、水和物スラリ貯槽の水和物スラリの払い出し口の配管の内口径が、スラリポンプの吐出し口の配管の内口径の１．３倍未満の場合には、配管内の圧力損失を十分に低減させる効果が得られず、負荷への水和物スラリの安定輸送を実現できない。
【手続補正９】
【補正対象書類名】明細書
【補正対象項目名】００１７
【補正方法】変更
【補正の内容】
【００１７】
請求項４は、スラリポンプの吐出し口側の往路配管内に存在する水和物の固相率が１３〜３４％になるように、復路配管内に存在する水和物スラリが融解した水溶液を前記領域の往路配管内に存在する水和物スラリに水溶液注入枝管を通じて注入することを特徴とする請求項３に記載の冷熱利用システムを提供する。ここで固相率とは、水和物スラリ中の水和物固体粒子の重量比率である。
【手続補正１０】
【補正対象書類名】明細書
【補正対象項目名】００１８
【補正方法】変更
【補正の内容】
【００１８】
請求項５は、スラリポンプの吸込み口側の往路配管と水溶液注入枝管との接続部に、往路配管の水和物スラリの流れ方向に沿ってＬ字型の小口径配管を設け、水和物スラリが融解した水溶液を注入することを特徴とする請求項１ないし４のいずれか１項に記載の冷熱利用システムを提供する。